(57)【要約】【課題】印刷物の束から抜け箇所を特定する作業の作業性を向上させる。【解決手段】画像形成装置は、ページの画像データを順次生成する画像読取部と、印刷を順次行う印刷部と、印刷物を順次排出する排出部と、設定した排出位置への印刷物の排出を排出部に行わせる制御部と、を備え、制御部は、先行読取ページおよび後行読取ページの各ページ番号を検出し、各ページ番号が連続していない場合、後行読取ページに対応する印刷物の排出位置を先行読取ページに対応する印刷物の排出位置とは異なる位置に設定する。【選択図】図４
2019208178.tif 000002
【特許請求の範囲】
【請求項１】
複数ページ分の原稿を連続して読み取り、前記原稿の読み取ったページの画像データを順次生成する画像読取部と、
前記ページの画像データに基づく印刷を順次行う印刷部と、
前記印刷で得られた印刷物を順次排出する排出部と、
前記印刷物の排出位置を設定し、当該設定した前記排出位置への前記印刷物の排出を前記排出部に行わせる制御部と、を備え、
前記制御部は、前記画像読取部が先に読み取った前記ページである先行読取ページおよび前記先行読取ページの次に前記画像読取部が読み取った前記ページである後行読取ページの各ページ番号を検出し、前記先行読取ページおよび前記後行読取ページの各ページ番号が連続していない場合、前記後行読取ページに対応する前記印刷物の前記排出位置を前記先行読取ページに対応する前記印刷物の前記排出位置とは異なる位置に設定することを特徴とする画像形成装置。
【請求項２】
前記排出位置は、第１位置と第２位置とがあり、
前記制御部は、前記先行読取ページおよび前記後行読取ページの各ページ番号が連続していない場合、前記先行読取ページに対応する前記印刷物の前記排出位置が前記第１位置に設定されていれば前記後行読取ページに対応する前記印刷物の前記排出位置を前記第２位置に設定し、前記先行読取ページに対応する前記印刷物の前記排出位置が前記第２位置に設定されていれば前記後行読取ページに対応する前記印刷物の前記排出位置を前記第１位置に設定することを特徴とする請求項１に記載の画像形成装置。
【請求項３】
報知部を備え、
前記制御部は、前記先行読取ページおよび前記後行読取ページの各ページ番号が連続していない場合、前記先行読取ページおよび前記後行読取ページの各ページ番号の間のページ番号を抜けページ番号と認識し、前記抜けページ番号の報知を前記報知部に行わせることを特徴とする請求項１または２に記載の画像形成装置。
【請求項４】
前記制御部は、前記抜けページ番号の報知に加え、前記抜けページ番号の１つ前のページ番号の前記ページに対応する前記印刷物の前記排出位置と前記抜けページ番号の１つ後のページ番号の前記ページに対応する前記印刷物の前記排出位置とが異なる旨の報知を前記報知部に行わせることを特徴とする請求項３に記載の画像形成装置。
【請求項５】
報知部を備え、
前記制御部は、前記先行読取ページおよび前記後行読取ページの各ページ番号が連続していないと判断したとき、その都度、前記先行読取ページおよび前記後行読取ページの各ページ番号が連続していない旨の報知を前記報知部に行わせることを特徴とする請求項１〜４のいずれか１項に記載の画像形成装置。
【請求項６】
前記制御部は、前記画像読取部による１回目の読み取りから所定回数目の読み取りまでの間に、所定回数以上、前記先行読取ページおよび前記後行読取ページの各ページ番号が連続していないと判断した場合、前記画像読取部による読み取りが前記所定回数目に達して以降に前記先行読取ページおよび前記後行読取ページの各ページ番号が連続していないと判断しても、前記先行読取ページおよび前記後行読取ページの各ページ番号が連続していない旨の報知を前記報知部に行わせないことを特徴とする請求項５に記載の画像形成装置。
【発明の詳細な説明】
【技術分野】
【０００１】
本発明は、原稿を読み取って画像データを生成する画像読取部を備える画像形成装置に関する。
【背景技術】
【０００２】
従来、画像読取部が読み取った各ページの画像データに対して文字認識処理を行うことにより、画像読取部が読み取った各ページのページ番号を検出する画像形成装置が知られている。このような画像形成装置は、たとえば、特許文献１に開示されている。
【０００３】
特許文献１の画像形成装置は、画像読取部が読み取った各ページのページ番号の順番がユーザー指定の順番となっているか否かの判断を行う。そして、特許文献１の画像形成装置は、画像読取部が読み取った各ページのページ番号の順番がユーザー指定の順番となっていない場合、その旨をユーザーに対して報知する。
【先行技術文献】
【特許文献】
【０００４】
【特許文献１】特開平１１−２２０５５７号公報
【発明の概要】
【発明が解決しようとする課題】
【０００５】
たとえば、画像読取部が読み取ったページのページ番号を検出することが可能な画像形成装置では、先に読み取ったページ（ここでは、先行読取ページと称する）および次に読み取ったページ（ここでは、後行読取ページと称する）の各ページ番号が連続しているか否かを判断することができる。
【０００６】
ここで、先行読取ページおよび後行読取ページの各ページ番号が連続していないということは、ページの抜けがある可能性が高い。したがって、先行読取ページおよび後行読取ページの各ページ番号が連続していない場合（ページの抜けがある可能性が高い場合）にその旨をユーザーに対して報知すれば、ユーザーの利便性が向上する。
【０００７】
たとえば、画像形成装置で複数ページ分のコピーを行っているとき、ページの抜けがある旨の報知をユーザーが受けたとする。この場合、ユーザーは抜けていたページ（抜けページ）のコピーを追加的に行う。
【０００８】
その後、通常では、ユーザーは初回のコピーで得られた印刷物の束から抜けページに対応する印刷物を挿入すべき個所（抜け箇所）を特定し、抜けページに対応する印刷物を抜け箇所に挿入する。抜け箇所を特定するには、たとえば、初回のコピーで得られた印刷物の各ページ番号の順番を確認する作業などを行わなければならない。しかし、このような作業を行わなければならないのは、ユーザーにとっては煩わしい。
【０００９】
本発明は、上記課題を解決するためになされたものであり、印刷物の束から抜け箇所を特定する作業の作業性を向上させることが可能な画像形成装置を提供することを目的とする。
【課題を解決するための手段】
【００１０】
上記目的を達成するため、本発明の画像形成装置は、複数ページ分の原稿を連続して読み取り、原稿の読み取ったページの画像データを順次生成する画像読取部と、ページの画像データに基づく印刷を順次行う印刷部と、印刷で得られた印刷物を順次排出する排出部と、印刷物の排出位置を設定し、当該設定した排出位置への印刷物の排出を排出部に行わせる制御部と、を備える。制御部は、画像読取部が先に読み取ったページである先行読取ページおよび先行読取ページの次に画像読取部が読み取ったページである後行読取ページの各ページ番号を検出し、先行読取ページおよび後行読取ページの各ページ番号が連続していない場合、後行読取ページに対応する印刷物の排出位置を先行読取ページに対応する印刷物の排出位置とは異なる位置に設定する。
【００１１】
本発明の構成では、抜けページの１つ前のページ（先行読取ページ）に対応する印刷物および抜けページの１つ後のページ（後行読取ページ）に対応する印刷物が互いに異なる位置に排出される。これにより、印刷物の束から抜け箇所を特定する作業の作業性を向上させることができる。
【発明の効果】
【００１２】
本発明の構成では、印刷物の束から抜け箇所を特定する作業の作業性を向上させることができる。
【図面の簡単な説明】
【００１３】
【図１】本発明の一実施形態による複合機の構成を示す概略図
【図２】本発明の一実施形態による複合機の排出トレイに排出される印刷物の排出位置を示す図
【図３】本発明の一実施形態による複合機の構成を示すブロック図
【図４】本発明の一実施形態による複合機の制御部が行う処理の流れを示すフローチャート
【図５】本発明の一実施形態による複合機の操作パネルが表示する報知画面を示す図
【図６】本発明の一実施形態による複合機での連続コピージョブの実行中に排出位置が変更された場合の排出トレイ上の排出物の状態を示す図
【発明を実施するための形態】
【００１４】
＜複合機の構成＞
図１に示すように、本実施形態の複合機１００（「画像形成装置」に相当）は、画像読取部１を備える。画像読取部１は、原稿Ｄを読み取り、原稿Ｄの読み取ったページの画像データを生成する。
【００１５】
画像読取部１は、光源１１およびイメージセンサー１２を備える。光源１１は、原稿Ｄに光を照射する。イメージセンサー１２は、原稿Ｄで反射された反射光を受光し光電変換する。光源１１およびイメージセンサー１２は、画像読取部１の筐体（読取筐体）の内部に収容される。なお、読取筐体の上面には、コンタクトガラスＧ１およびＧ２が嵌め込まれる。コンタクトガラスＧ１は、後述する搬送読取モードでの読取時に用いるコンタクトガラスである。コンタクトガラスＧ２は、後述する載置読取モードでの読取時に用いるコンタクトガラスである。
【００１６】
また、画像読取部１は、原稿搬送ユニット１３を備える。原稿搬送ユニット１３は、読取筐体の上面に対して開閉可能に取り付けられる。原稿搬送ユニット１３は、原稿セットトレイ１３１にセットされた原稿ＤをコンタクトガラスＧ１上に搬送し、原稿排出トレイ１３２に排出する。
【００１７】
搬送読取モードでは、原稿セットトレイ１３１に原稿Ｄがセットされる。原稿搬送ユニット１３は、原稿セットトレイ１３１にセットされた原稿Ｄを搬送し、原稿排出トレイ１３２に排出する。原稿搬送ユニット１３による原稿Ｄの搬送中、コンタクトガラスＧ１上を原稿Ｄが通過する。画像読取部１は、コンタクトガラスＧ１上を通過する原稿Ｄを読み取って画像データを生成する。
【００１８】
載置読取モードでは、コンタクトガラスＧ２上に原稿Ｄがセットされる。便宜上、コンタクトガラスＧ２上にセットされた原稿Ｄは図示しない。そして、画像読取部１は、コンタクトガラスＧ２上にセットされた原稿Ｄを読み取って画像データを生成する。
【００１９】
また、複合機１００は、印刷部２を備える。印刷部２は、用紙搬送路（図１では、破線矢印で示す）に沿って用紙Ｐを搬送し、搬送中の用紙Ｐに画像を印刷する。コピージョブでは、画像読取部１が原稿Ｄを読み取って生成したページの画像データに基づく画像の用紙Ｐへの印刷が印刷部２により行われる。
【００２０】
印刷部２は、給紙ローラー対２１を備える。給紙ローラー対２１は、用紙カセットＣＡに収容された用紙Ｐを用紙搬送路に給紙する。たとえば、用紙カセットＣＡの上方にはピックアップローラー（図示せず）が設置される。給紙ローラー対２１が用紙搬送路に用紙Ｐを給紙するときには、ピックアップローラーによって用紙カセットＣＡから用紙Ｐが引き出される。
【００２１】
なお、図示しないが、印刷部２は、用紙搬送路に沿って用紙Ｐを搬送するための搬送ローラー対を複数備える。用紙搬送路に給紙された用紙Ｐは、搬送ローラー対により、用紙搬送路に沿って搬送される。
【００２２】
また、印刷部２は、画像形成部２２を備える。画像形成部２２は、感光体ドラム２２１および転写ローラー２２２を備える。なお、図示しないが、画像形成部２２は、感光体ドラム２２１の周面を帯電させる帯電装置、感光体ドラム２２１の周面上に静電潜像を形成する露光装置、および、感光体ドラム２２１の周面上の静電潜像をトナー像に現像する現像装置も備える。
【００２３】
感光体ドラム２２１および転写ローラー２２２は、互いに圧接し、転写ニップを形成する。搬送中の用紙Ｐが転写ニップを通過するとき、感光体ドラム２２１の周面上のトナー像が用紙Ｐに転写される。
【００２４】
また、印刷部２は、定着ローラー対２３を備える。定着ローラー対２３は、加熱ローラーおよび加圧ローラーを含む。加熱ローラーは、ヒーターを内蔵する。加圧ローラーは、加熱ローラーに圧接し、加熱ローラーとの間で定着ニップを形成する。搬送中の用紙Ｐ（トナー像が転写された用紙Ｐ）が定着ニップを通過することにより、用紙Ｐにトナー像が定着される。
【００２５】
ここで、複合機１００は、後処理装置３を備える。後処理装置３には、排出トレイ３１が設けられる。後処理装置３は、印刷部２による印刷で得られた印刷物（トナー像が転写された用紙Ｐ）を印刷部２から受け入れ、排出トレイ３１に印刷物を排出する。後処理装置３は「排出部」に相当する。
【００２６】
後処理装置３は、排出トレイ３１に排出する印刷物に対して後処理を行う。たとえば、パンチ処理やステープル処理が行われる。さらに、後処理装置３が行う後処理として、シフト処理がある。
【００２７】
後処理装置３は、シフト処理として、排出トレイ３１に排出する印刷物を排出方向と直交する幅方向（図１の紙面に対して垂直な方向）にシフトさせる処理を行う。後処理装置３にシフト処理を行わせることにより、排出トレイ３１上での印刷物の排出位置を変えることができる。たとえば、図２左図に示すように、或る印刷物（図２では、符号Ｐａを付す）が排出トレイ３１に既に排出されているとする。そして、次の印刷物（ここでは、符号Ｐｂを付す）の排出時にシフト処理が行われたとする。この場合、図２右図に示すように、排出トレイ３１上において、印刷物Ｐａの排出位置に対して印刷物Ｐｂの排出位置が幅方向にシフトする。
【００２８】
また、図３に示すように、複合機１００は、制御部４および記憶部５を備える。制御部４は、ＣＰＵを含む。制御部４は、制御用のプログラムおよびデータに基づき動作し、複合機１００の各部を制御する。
【００２９】
記憶部５は、ＲＯＭおよびＲＡＭを含む。記憶部５は、制御用のプログラムおよびデータを記憶する。記憶部５は、制御部４に接続される。制御部４は、記憶部５からの情報の読み出しおよび記憶部５への情報の書き込みを行う。
【００３０】
ここで、制御部４は、画像読取部１が原稿Ｄを読み取って生成したページの画像データに含まれる文字（アラビア数字、ローマ数字および漢数字などの数字を含む）を認識する処理である文字認識処理を行う。制御部４による文字認識処理では、たとえば、ＯＣＲ（Ｏｐｔｉｃａｌ  Ｃｈａｒａｃｔｅｒ  Ｒｅｃｏｇｎｉｔｉｏｎ）技術が用いられる。
【００３１】
制御部４に文字認識処理を行わせるため、パターンマッチング用の標準パターン（文字パターン）を格納する文字データベースが記憶部５に記憶される。制御部４は、文字認識処理を行うとき、処理対象の画像データから文字画像を抽出し、当該抽出した文字画像と標準パターンとを比較することによって文字を認識する。
【００３２】
制御部４には、画像読取部１および印刷部２が接続される。制御部４は、画像読取部１を制御するとともに、印刷部２を制御する。
【００３３】
また、制御部４には、後処理装置３が接続される。制御部４は、後処理装置３を制御する。すなわち、制御部４は、後処理装置３による後処理（パンチ処理、ステープル処理およびシフト処理）を制御する。
【００３４】
制御部４は、後処理装置３が行うシフト処理を制御するため、排出トレイ３１上での印刷物の排出位置を設定する排出位置設定処理を行う。言い換えると、制御部４は、印刷物のシフト方向およびシフト量を設定する。そして、制御部４は、排出位置設定処理で設定した排出位置への印刷物の排出を後処理装置３に行わせる。
【００３５】
また、複合機１００は、操作パネル６を備える。操作パネル６は、タッチスクリーンおよびハードウェアボタンを備える。タッチスクリーンは、ソフトウェアボタンやメッセージを配した画面を表示し、表示画面に対する操作をユーザーから受け付ける。ハードウェアボタンは、操作パネル６に複数設けられる。操作パネル６に設けられるハードウェアボタンとしては、コピージョブの実行指示をユーザーから受け付けるためのスタートボタンなどがある。
【００３６】
操作パネル６は、制御部４に接続される。制御部４は、操作パネル６の表示動作を制御する。また、制御部４は、操作パネル６に対して行われた操作を検知する。
【００３７】
＜ページ抜けチェック機能＞
複合機１００には、ページ抜けチェック機能が搭載される。ページ抜けチェック機能の有効／無効の設定は操作パネル６がユーザーから受け付ける。操作パネル６は、ページ抜けチェック機能が有効に設定された状態で、スタートボタンに対する操作が行われると、当該操作を連続コピージョブ（複数ページ分の原稿Ｄを連続してコピーするジョブ）の実行指示として受け付ける。
【００３８】
制御部４は、連続コピージョブの実行指示を操作パネル６が受け付けると、連続コピージョブを開始する。すなわち、制御部４は、画像読取部１、印刷部２および後処理装置３にジョブ開始命令を与える。画像読取部１は、複数ページ分の原稿Ｄを連続して読み取り、原稿Ｄの読み取ったページの画像データを順次生成する。印刷部２は、画像読取部１が生成したページの画像データに基づく印刷を順次行う。後処理装置３は、印刷部２による印刷で得られた印刷物を排出トレイ３１に順次排出する。
【００３９】
なお、制御部４は、原稿セットトレイ１３１に原稿Ｄがセットされていれば、画像読取部１による原稿Ｄの読み取りを搬送読取モードで行わせる。一方で、制御部４は、原稿セットトレイ１３１に原稿Ｄがセットされていなければ、画像読取部１による原稿Ｄの読み取りを載置読取モードで行わせる。原稿セットトレイ１３１に原稿Ｄがセットされていないということは、載置読取モード用のコンタクトガラスＧ２上に原稿Ｄがセットされているということである。載置読取モードでの連続コピージョブでは、画像読取部１による読み取りが１回終わるごとに、操作パネル６のスタートボタンに対する操作を行う必要がある。
【００４０】
制御部４は、連続コピージョブを開始するとき、後処理装置３が排出する印刷物の排出トレイ３１上での排出位置を設定する。ページ抜けチェック機能が有効に設定されている場合には、デフォルト位置である第１位置および第１位置に対して幅方向に所定量ずれた位置である第２位置のいずれかが排出位置に設定される。特に限定されないが、図２に示した印刷物Ｐａの排出位置が第１位置であり、図２に示した印刷物Ｐｂの排出位置が第２位置である。
【００４１】
たとえば、連続コピージョブの開始時点では、印刷物の排出位置が第１位置に設定される。言い換えると、制御部４は、画像読取部１が１回目に読み取ったページに対応する印刷物の排出位置を第１位置に設定する。制御部４は、画像読取部１が１回目に読み取ったページに対応する印刷物が排出トレイ３１に排出されるまでは排出位置を変更しない。これにより、連続コピージョブの１枚目の印刷物は第１位置に排出される。
【００４２】
また、制御部４は、画像読取部１が１回目に読み取ったページのページ番号を検出するため、画像読取部１が１回目に読み取ったページの画像データに対して文字認識処理を行う。このとき、制御部４は、処理対象の画像データのうち所定領域に対して文字認識処理を行い、所定領域に含まれる数字をページ番号として検出する。たとえば、所定領域はユーザーにより設定される。所定領域の設定は操作パネル６がユーザーから受け付ける。通常では、ヘッダー領域またはフッター領域が所定領域として設定される。
【００４３】
なお、制御部４は、画像読取部１が２回目以降に読み取ったページのページ番号も検出する。すなわち、画像読取部１が先に読み取ったページである先行読取ページおよび先行読取ページの次に画像読取部１が読み取ったページである後行読取ページの各ページ番号の検出が制御部４により行われる。制御部４は、画像読取部１が２回目以降に読み取ったページの画像データに対しても、画像読取部１が１回目に読み取ったページの画像データに対して行った文字認識処理（ページ番号を検出するための処理）と同様の処理を行う。
【００４４】
そして、制御部４は、画像読取部１が１回目に読み取ったページの画像データからページ番号を検出できた場合、画像読取部１による２回目の読み取り以降、画像読取部１による読み取りが１回終わるごとに、ページの抜けをチェックする処理を行う。以下に、図４に示すフローチャートを参照し、具体的に説明する。
【００４５】
図４に示すフローチャートのスタート時点では、画像読取部１による１回目の読み取りが終了しており、画像読取部１が１回目に読み取ったページのページ番号を制御部４が検出できているとする。また、画像読取部１が１回目に読み取ったページに対応する印刷物が第１位置に排出されている（排出位置が第１位置に設定されている）とする。
【００４６】
ステップＳ１において、制御部４は、画像読取部１が新たに読み取ったページの画像データを処理対象として取得する。そして、制御部４は、処理対象の画像データに対して文字認識処理を行うことにより、画像読取部１が新たに読み取ったページのページ番号を検出する。このときの文字認識処理で処理対象となるのは画像読取部１による２回目以降の読み取りで得られたページの画像データである。
【００４７】
ステップＳ２において、制御部４は、先行読取ページおよび後行読取ページの各ページ番号が連続しているか否かを判断する。たとえば、ステップＳ１で検出されたページ番号が２回目に読み取られたページのページ番号である場合には、１回目に読み取られたページが先行読取ページとなり、２回目に読み取られたページが後行読取ページとなる。ステップＳ１で検出されたページ番号が３回目に読み取られたページのページ番号である場合には、２回目に読み取られたページが先行読取ページとなり、３回目に読み取られたページが後行読取ページとなる。
【００４８】
ステップＳ２において、先行読取ページおよび後行読取ページの各ページ番号が連続していないと制御部４が判断した場合には、ステップＳ３に移行する。ステップＳ３に移行すると、制御部４は、先行読取ページおよび後行読取ページの各ページ番号の間のページ番号を抜けページ番号として認識する。そして、制御部４は、抜けページ番号を示す情報を記憶部５に記憶させる。
【００４９】
ステップＳ４において、制御部４は、先行読取ページに対応する印刷物の排出位置が第１位置であるか否かを判断する。その結果、先行読取ページに対応する印刷物の排出位置が第１位置であると制御部４が判断した場合には、ステップＳ５に移行し、先行読取ページに対応する印刷物の排出位置が第２位置であると制御部４が判断した場合には、ステップＳ６に移行する。
【００５０】
ステップＳ５に移行した場合、制御部４は、後行読取ページに対応する印刷物の排出位置を第２位置に設定（変更）する。一方で、ステップＳ６に移行した場合、制御部４は、後行読取ページに対応する印刷物の排出位置を第１位置に設定（変更）する。
【００５１】
たとえば、先行読取ページが１回目に読み取られたページであり、後行読取ページが２回目に読み取られたページである場合には、先行読取ページに対応する印刷物の排出位置は第１位置に設定されているので、後行読取ページに対応する印刷物の排出位置は第２位置に設定される。また、先行読取ページが２回目以降に読み取られたページであり、先行読取ページに対応する印刷物の排出位置が第２位置に設定されている場合には、後行読取ページに対応する印刷物の排出位置は第１位置に設定される。
【００５２】
排出位置の設定後、ステップＳ７に移行する。ステップＳ２において、先行読取ページおよび後行読取ページの各ページ番号が連続していると制御部４が判断した場合にも、ステップＳ７に移行する。ステップＳ２から他のステップを経由せずステップＳ７に移行した場合、制御部４は、後行読取ページに対応する印刷物の排出位置を先行読取ページに対応する印刷物の排出位置と同じ位置に設定する（排出位置を変更しない）。
【００５３】
ステップＳ７において、制御部４は、現在設定されている排出位置が第１位置であるか否かを判断する。ステップＳ５またはステップＳ６を経由してステップＳ７に移行した場合、制御部４は、変更後の排出位置が第１位置であるか否かを判断する。その結果、現在設定されている排出位置（変更後の排出位置）が第１位置であると制御部４が判断した場合には、ステップＳ８に移行し、現在設定されている排出位置（変更後の排出位置）が第２位置であると制御部４が判断した場合には、ステップＳ９に移行する。
【００５４】
ステップＳ８に移行した場合、制御部４は、画像読取部１が読み取ったページの画像データに基づく印刷を印刷部２に行わせる。そして、制御部４は、後処理装置３を制御し、印刷部２による印刷で得られた印刷物を排出トレイ３１上の第１位置に排出させる。
【００５５】
ステップＳ９に移行した場合、制御部４は、画像読取部１が読み取ったページの画像データに基づく印刷を印刷部２に行わせる。そして、制御部４は、後処理装置３を制御し、印刷部２による印刷で得られた印刷物を排出トレイ３１上の第２位置に排出させる。
【００５６】
ステップＳ１０において、制御部４は、連続コピージョブが完了したか否か（処理対象とすべき画像データが残っていないか否か）を判断する。搬送読取モードでの連続コピージョブでは、原稿セットトレイ１３１から原稿Ｄが無くなった場合に、連続コピージョブが完了したと制御部４が判断する。載置読取モードでの連続コピージョブでは、連続コピージョブの終了指示を操作パネル６がユーザーから受け付けた場合に、連続コピージョブが完了したと制御部４が判断する。
【００５７】
ステップＳ１０において、連続コピージョブが完了していないと制御部４が判断した場合、ステップＳ１に移行する。この場合には、図４に示すフローチャートに沿った処理が制御部４により繰り返される。すなわち、制御部４は、画像読取部１による読み取りが１回終わるごとに、画像読取部１が１回前に読み取ったページ（当該ページが先行読取ページとなる）および画像読取部１が今回読み取ったページ（当該ページが後行読取ページとなる）の各ページ番号が連続しているか否かを判断する。
【００５８】
ステップＳ１０において、連続コピージョブが完了したと制御部４が判断した場合、ステップＳ１１に移行する。ステップＳ１１に移行すると、制御部４は、抜けページ番号を示す情報が記憶部５に記憶されているか否かを判断する。その結果、抜けページ番号を示す情報が記憶部５に記憶されていると制御部４が判断した場合には、ステップＳ１２に移行し、抜けページ番号を示す情報が記憶部５に記憶されていないと制御部４が判断した場合には、本フローは終了する。
【００５９】
ステップ１２に移行すると、制御部４は、ページの抜けがある旨の報知を操作パネル６に行わせる。この構成では、操作パネル６が「報知部」に相当する。このとき、操作パネル６は、図５に示すような報知画面６０を表示し、ページの抜けがある旨をユーザーに対して報知する。
【００６０】
報知画面６０には、抜けページ番号を含む報知メッセージＭＧ１が表示される。図５に示す例では、「ａａ」に抜けページ番号が挿入される。
【００６１】
また、報知画面６０には、抜けページ番号の１つ前のページ番号のページに対応する印刷物の排出位置と抜けページ番号の１つ後のページ番号のページに対応する印刷物の排出位置とを異ならせた旨の報知メセージＭＧ２が表示される。
【００６２】
たとえば、ページの抜けがある場合、排出トレイ３１上の印刷物の状態は、図６に示すようになる。図６では、抜けページ番号の１つ前のページ番号のページに対応する印刷物に符号Ｐ１を付し、抜けページ番号の１つ後のページ番号のページに対応する印刷物に符号Ｐ２を付す。先行読取ページおよび後行読取ページの各ページ番号が連続していないと制御部４が判断した回数が２回である場合に、図６に示す状態となる。
【００６３】
なお、制御部４は、ページ抜けチェック機能が有効に設定されていても、画像読取部１が１回目に読み取ったページのページ番号を検出できなければ、連続コピージョブの実行中、印刷物の排出位置を変更しない。すなわち、制御部４は、画像読取部１が２回目以降に読み取ったページに対応する印刷物の排出位置を全て画像読取部１が１回目に読み取ったページに対応する印刷物の排出位置と同じ位置に設定する。このため、連続コピージョブの全ての印刷物が排出トレイ３１上の同じ位置に排出される。
【００６４】
本実施形態の複合機１００（画像形成装置）は、上記のように、複数ページ分の原稿Ｄを連続して読み取り、原稿Ｄの読み取ったページの画像データを順次生成する画像読取部１と、ページの画像データに基づく印刷を順次行う印刷部２と、印刷で得られた印刷物を順次排出する後処理装置３（排出部）と、印刷物の排出位置を設定し、当該設定した排出位置への印刷物の排出を後処理装置３に行わせる制御部４と、を備える。制御部４は、画像読取部１が先に読み取ったページである先行読取ページおよび先行読取ページの次に画像読取部１が読み取ったページである後行読取ページの各ページ番号を検出する。そして、制御部４は、先行読取ページおよび後行読取ページの各ページ番号が連続していない場合、後行読取ページに対応する印刷物の排出位置を先行読取ページに対応する印刷物の排出位置とは異なる位置に設定する。
【００６５】
本実施形態の構成では、コピーすべきページが抜けていた場合、当該抜けていた抜けページの１つ前のページ（先行読取ページ）に対応する印刷物および抜けページの１つ後のページ（後行読取ページ）に対応する印刷物が互いに異なる位置に排出される。具体的には、排出トレイ３１上において、抜けページの１つ前のページに対応する印刷物の排出位置が抜けページの１つ後のページに対応する印刷物の排出位置に対して幅方向に所定量ずれた状態となる（図５参照）。これにより、印刷物の束から抜け箇所（抜けページに対応する印刷物を挿入すべき箇所）を特定する作業の作業性を向上させることができる。なお、本実施形態の構成では、印刷物の束のうち印刷物が幅方向にずれている箇所が抜け箇所となる。
【００６６】
また、本実施形態では、上記のように、制御部４は、先行読取ページおよび後行読取ページの各ページ番号が連続していない場合、先行読取ページに対応する印刷物の排出位置が第１位置に設定されていれば後行読取ページに対応する印刷物の排出位置を第２位置に設定し、先行読取ページに対応する印刷物の排出位置が第２位置に設定されていれば後行読取ページに対応する印刷物の排出位置を第１位置に設定する。これにより、先行読取ページおよび後行読取ページの各ページ番号が連続していない場合、容易に、先行読取ページに対応する印刷物の排出位置と後行読取ページに対応する印刷物の排出位置とを異ならせることができる。
【００６７】
また、本実施形態では、上記のように、制御部４は、先行読取ページおよび後行読取ページの各ページ番号が連続していない場合、先行読取ページおよび後行読取ページの各ページ番号の間のページ番号を抜けページ番号と認識し、抜けページ番号の報知を操作パネル６（報知部）に行わせる。また、制御部４は、抜けページ番号の報知に加え、抜けページ番号の１つ前のページ番号のページに対応する印刷物の排出位置と抜けページ番号の１つ後のページ番号のページに対応する印刷物の排出位置とが異なる旨の報知を操作パネル６に行わせる。すなわち、制御部４は、報知メッセージＭＧ１およびＭＧ２を操作パネル６に表示させる。これにより、抜け箇所の特定作業を行おうとしているユーザーの利便性を向上させることができる。
【００６８】
ここで、以下の変形例のように構成してもよい。
【００６９】
制御部４は、先行読取ページおよび後行読取ページの各ページ番号が連続していないと判断したとき、その都度、ページの抜けがある旨（先行読取ページおよび後行読取ページの各ページ番号が連続していない旨）の報知を操作パネル６に行わせる。
【００７０】
ただし、ページの抜けがある度に報知が行われると、ユーザーが煩わしく感じる場合がある。また、ユーザーによっては、意図的にページを抜かしている場合がある。そこで、以下のように構成してもよい。
【００７１】
制御部４は、画像読取部１による１回目の読み取りから所定回数目（たとえば、十数回目）の読み取りまでの間に、所定回数以上、先行読取ページおよび後行読取ページの各ページ番号が連続していないと判断した場合、画像読取部１による読み取りが所定回数目に達して以降に先行読取ページおよび後行読取ページの各ページ番号が連続していないと判断しても、ページ抜けがある旨の報知を操作パネル６に行わせない。
【００７２】
なお、複合機１００に音出力部をさらに設け、先行読取ページおよび後行読取ページの各ページ番号が連続していないと制御部４が判断したとき、その都度、音出力部から警告音を出力してもよい。音出力部は、警告音の音データを記憶するメモリーや、警告音を出力するスピーカーなどを含む。この構成では、音出力部も「報知部」として機能する。
【００７３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７４】
１  画像読取部
２  印刷部
３  後処理装置（排出部）
４  制御部
６  操作パネル（報知部）
１００  複合機（画像形成装置）
【図１】
2019208178.tif 000003
【図２】
2019208178.tif 000004
【図３】
2019208178.tif 000005
【図４】
2019208178.tif 000006
【図５】
2019208178.tif 000007
【図６】
2019208178.tif 000008